(57)【特許請求の範囲】
【請求項１】
合成樹脂により成形され前部に段部が形成された庫内棚本体と、前記段部に装着されバネ性を有する断面略Ｕ字状の補強部材とを備え、前記補強部材端部外側に位置する前記庫内棚本体の前端部にストッパー片を設け、このストッパー片内側に前記補強部材の奥行き寸法に近似した深さの溝部を形成したことを特徴とする冷蔵庫等の庫内棚。
【請求項２】
補強部材の奥行きを前記段部の奥行きに近似させるとともに、ストッパー片内側の溝部を前記段部よりも深く形成したことを特徴とする請求項１項記載の冷蔵庫等の庫内棚。
【請求項３】
ストッパー片外側に凹部を形成したことを特徴とする請求項１または２記載の冷蔵庫等の庫内棚。
【請求項４】
ストッパー片の外側が庫内側壁に当接することを特徴とする請求項１乃至３の何れかに記載の庫内棚を備えた冷蔵庫。
【発明の詳細な説明】
【０００１】
【発明の属する技術分野】
この発明は冷蔵庫等の庫内棚に係わり、冷蔵庫のリサイクルなどの解体分別の際、合成樹脂製の庫内棚本体と板金製の補強部材との分離性の改善を図るものである。
【０００２】
【従来の技術】
図５乃至図７は例えば特開平１１−１１８３４７号公報に示された従来の冷蔵庫の庫内棚であり、図において、１は合成樹脂で成形された庫内棚本体、１ａは棚本体前側の段部、１ｂは段部に配置された嵌合リブ、１ｃは嵌合リブ１ｂより前側に延び出る支持リブ、１ｄは段部両端に位置するストッパー片、２は庫内棚本体の前部に挿入され庫内棚本体１の段部１ａに近似した奥行き寸法で板金を略Ｕ字状に成形しバネ性を有する補強部材、２ａは補強部材２の間口に近接して内側に凸出し、上下向い合った一対の嵌合フランジで前記棚本体１の嵌合リブ１ｂに係止している。
【０００３】
以上の構成において、庫内棚本体１は合成樹脂で成形されているため単品では柔軟であるが、板金製の補強部材２が庫内棚の前側に挿入されているので充分な強度が確保され、棚の厚さも薄くすることが可能であり庫内を有効に使用することができる。
また、補強部材２は庫内棚１の段部１ａに近似した寸法であり段部１ａ内に収まるよう設定されているため、補強部材２の端面が庫内棚本体１より飛び出すことは無く、一体感があり見栄えも良い。
【０００４】
組立に際しては、補強部材２は庫内棚本体の前側より装着されるが、補強部材はバネ性を有するため組立性は容易であり、支持リブ１ｃが補強部材２を内側より支持するため補強部材２がガタツクことは無く、左右はストッパー片１ｄが補強部材２と接するように位置するため左右にずれることも無い。
また、冷蔵庫の廃却後に庫内棚をリサイクルする際には、合成樹脂製の棚本体１と板金製補強部材２を分離して回収するため、ハンマーなどで棚本体１のストッパー片１ｄ部を破壊した後に補強部材２を左右にすべり抜くか、ペンチなどで補強部材２をめくり取るように解体分別する。
【０００５】
【発明が解決しようとする課題】
以上のように従来の冷蔵庫等の庫内棚によれば、庫内棚本体と補強部材との解体分別は作業が煩雑となるといった課題があった。しかしながら庫内棚本体と補強部材とが単に容易に脱離するようだと棚からものを出し入れする実使用時に補強部材が外れるなどして不都合である。従って、実使用時には補強部材が簡単に外れないようにしなければならない。
【０００６】
この発明は以上のような問題点を解決するために成されたもので、冷蔵庫等の庫内棚において、解体処理時には補強部材と庫内棚本体との脱離が容易な構造としながら、実使用時に安易に脱離しにくい冷蔵庫等の庫内棚を提供するものである。
【０００７】
【課題を解決するための手段】
この発明に係る冷蔵庫等の庫内棚は、合成樹脂により成形され前部に段部が形成された庫内棚本体と、前記段部に装着されバネ性を有する断面略Ｕ字状の補強部材とを備え、前記補強部材端部外側に位置する前記庫内棚本体の前端部にストッパー片を設け、このストッパー片内側に前記補強部材の奥行き寸法に近似した深さの溝部を形成したものである。
【０００８】
また、補強部材の奥行きを前記段部の奥行きに近似させるとともに、ストッパー片内側の溝部を前記段部よりも深く形成したものである。
【０００９】
【００１０】
また、ストッパー片外側に凹部を形成したものである。
【００１１】
また、この発明に係る冷蔵庫は、上記何れかの庫内棚におけるストッパー片の外側が庫内側壁に当接するものである。
【００１２】
【発明の実施の形態】
実施の形態１．
以下この発明の実施の形態を図について説明する。尚、従来と同一部分は同一符号を付して説明を省略する。
図１乃至図２は庫内棚本体１の手前側角部の図であり、１は合成樹脂の透明部材により成形され、スライド引き出し可能な庫内棚本体で、プラスチック射出成形法により成形される。庫内棚本体１には前部に一段低い段部１ａが形成されている。１ｂはこの段部１ａの左右にわたって上下に突出形成された嵌合リブ、１ｃは嵌合リブ１ｂから庫内棚本体１前端まで段部１ａの前後にわたって上下に突出形成された支持リブ、１ｄは庫内棚本体１の左右両側に段部１ａより若干前方に突出して形成され、庫内棚本体１と略面一な上面を成すストッパー片、１ｅは補強部材２の奥行き寸法に近似した深さでストッパー片１ｄの内側（ストッパー片１ｄと段部１ａとの間）に形成された溝部である。
【００１３】
尚、補強部材２は、図６に示すものと同様な構成で、庫内棚本体の前部に挿入され庫内棚本体１の段部１ａに近似した奥行き寸法でステンレス等の板金を略Ｕ字状に成形しバネ性を有する。また、補強部材２はその間口に近接して内側に凸出し、庫内棚本体１の嵌合リブ１ｂに係止する上下向い合った一対の嵌合フランジ２ａが形成されている。
３は冷蔵庫本体の庫内側壁で、庫内棚本体１およびストッパー片１ｄの外側が当接する。
【００１４】
庫内棚の製造過程については、補強部材２を庫内棚本体１の前面から挿入していくと、補強部材２はバネ性があるので支持リブ１ｃによって押し広げられ、嵌合リブ１ｂを乗り越えた時点で元の形状に戻り係合される。
また、支持リブ１ｃを部分的に複数設けたので、補強部材２をはめ込む際に、補強部材２に部分的に接触するだけなので、わずかな力により工具なしで簡単に取り付けられる。
【００１５】
冷蔵庫としての実使用時において、庫内棚を庫内の所定位置に取り付けた状態においては、ストッパー片１ｄの外側は庫内側壁３によって外側への広がりが規制されているので、ストッパー片１ｄが折れることはない。また、ストッパー片１ｄは補強部材２を支えるものではないから、通常の冷蔵庫使用時にストッパー片１ｄに強度的問題は発生しない。
【００１６】
また、庫内棚はスライド引き出し可能に構成されているため、例えば大型の食品を収納する場合あるいは小型の食品を収納する場合、庫内棚の高さ位置を変更することが可能である。また、庫内を清掃する場合にも庫内棚を引き出すことで、庫内および庫内棚の清掃作業性が向上する。そして、このような庫内棚を引き出した状態においては、補強部材２はストッパー片１ｄによって左右方向の抜けが規制されているので、安易に脱離することを防止できる。
【００１７】
冷蔵庫のリサイクル処理時等における解体分別の際は、合成樹脂製の庫内棚本体１と金属製の補強部材２とは分別の対象となる。ストッパー片１ｄの内側には溝部１ｅが設けてあり、解体分別時にはストッパー片１ｄを外側に折るように取り去り、補強部材２を横にすべり抜くことができる。
このようにストッパー片１ｄを通常の冷蔵庫使用時に作用しない方向に折り曲げて取り去ることができる構成としたので、解体分別作業を容易にしつつ、冷蔵庫実使用時における補強部材２の脱離を確実に防止することができる。
【００１８】
実施の形態２．
図３において、１ｅは庫内棚本体１前側の段部より深く位置させた溝部である。
解体分別の際は、ストッパー片１ｄの内側には段部１ａより深い溝部１ｅが設けてあり、補強部材２は段部１ａと近似した奥行きとなっているので、ストッパー片１ｄを確実に補強部材２奥行きの位置よりも深い位置で取り去ることができ、ストッパー片１ｄの根元が若干棚本体１に残った際にも補強部材２はストッパー片１ｄの根元に引っかかることなく横にすべり抜くことができる。
【００１９】
実施の形態３．
図４において、１ｆはストッパー片１ｄの外側で溝部１ｅの根元の位置に設けられた凹部である。
解体分別の際は、ストッパー片１ｄの外側で溝部１ｅの根元の位置には凹部１ｆが設けてあるので、この部分でストッパー片１ｄが折れ易くなっており、確実に凹部１ｆの位置でストッパー片１ｄを取り去ることができる。
また、凹部１ｆの大きさ（または深さ）でストッパー片１ｄの強度が加減できるので、指で曲げ折る等工具無しでの作業も可能となる。
尚、図面は棚の両側にスットパー片と１ｄ溝部１ｅ凹部１ｆを設けているが、片側一箇所であってもよい。
【００２０】
上記各実施の形態では、溝部１ｅを左右両側に形成したが、左右何れかの側だけでも良い。その際、溝部１ｅを形成しない側は段部１ａおよび嵌合リブ１ｂとストッパー片１ｄとが繋がった形状としてもよい。
また、溝部１ｅを形成しないで段部１ａおよび嵌合リブ１ｂとストッパー片１ｄとが繋がった形状としつつ、ストッパー片１ｄを外側に折り曲げるように力を加えた際、ストッパー片１ｄが段部１ａおよび嵌合リブ１ｂから容易に剥ぎ取れるようにしても良い。
【００２１】
以上説明したようにこの発明の実施の形態によれば、補強部材の左右のストッパー片を取り去ることで容易に補強部材を解体分別できるので、リサイクルにおける異種材料の分別作業が容易となり解体費用も削減できる。また破壊する位置が限定されるので、従来のハンマーなどを使用する破壊作業時の作業性が向上する。
【００２２】
また、ストッパー片の内側には段部より深い溝部が設けることで、ストッパー片を確実に補強部材の奥行きの位置よりも深い位置で取り去ることがでるので、ストッパー片折り取り時のばらつきの影響を受けず補強部材を取り外すことができる。
【００２３】
さらに、凹部１ｆの大きさ（または深さ）でストッパー片１ｄの強度が加減できるので、指で曲げ折る等工具無しでの作業も可能となり、更なる解体分別時間の削減も可能となる。
【００２４】
【発明の効果】
以上のとおりこの発明によれば、合成樹脂により成形され前部に段部が形成された庫内棚本体と、前記段部に装着されバネ性を有する断面略Ｕ字状の補強部材とを備え、前記補強部材端部外側に位置する前記庫内棚本体の前端部にストッパー片を設け、このストッパー片内側に前記補強部材の奥行き寸法に近似した深さの溝部を形成したので、解体処理時には補強部材と庫内棚本体との脱離が容易な構造としながら、実使用時に安易に脱離しにくい冷蔵庫等の庫内棚とすることができる。
【００２５】
また、補強部材の奥行きを前記段部の奥行きに近似させるとともに、ストッパー片内側の溝部を前記段部よりも深く形成したので、解体処理時におけるストッパー片折り取りのばらつきを低減できる構造としながら、実使用時に安易に脱離しにくい冷蔵庫等の庫内棚とすることができる。
【００２６】
【００２７】
また、ストッパー片外側に凹部を形成したので、凹部の大きさでストッパー片の強度を加減することができる。
【００２８】
また、ストッパー片の外側が庫内側壁に当接するので、冷蔵庫実使用時にストッパー片が折り曲げ方向へ曲がることを規制できる。
【図面の簡単な説明】
【図１】  この発明の実施の形態１による庫内棚本体前側角部の斜視図。
【図２】  この発明に実施の形態１よる庫内棚本体前側角部の平面図。
【図３】  この発明の実施の形態２による庫内棚本体前側角部の平面図。
【図４】  この発明の実施の形態３による庫内棚本体前側角部の平面図。
【図５】  庫内棚本体に補強部材が取りついた状態を示す全体の斜視図。
【図６】  第５図中におけるＩ−Ｉ断面図。
【図７】  従来の庫内棚本体前側角部の斜視図。
【符号の説明】
１．庫内棚本体、  １ａ．段部、  １ｂ．嵌合リブ、  １ｃ．支持リブ、  １ｄ．ストッパー片、  １ｅ．溝部、  １ｆ．凹部、  ２．補強部材、  ２ａ．嵌合フランジ、  ３．庫内側壁。
【図１】
0004366831.tif 000002
【図２】
0004366831.tif 000003
【図３】
0004366831.tif 000004
【図４】
0004366831.tif 000005
【図５】
0004366831.tif 000006
【図６】
0004366831.tif 000007
【図７】
0004366831.tif 000008